(57)【要約】【課題】    既存の浴室に隣接させて洗濯機置き場を増設することが出来、防水性の良好な浴室配管構造及び該浴室配管構造の施工方法を提供する。【解決手段】  浴槽５が設けられた浴室３に隣接する脱衣所１４内に、洗濯機１７が載置される洗濯機防水パン１８を設けると共に、洗濯機１７の排水配管１９を、浴室３と脱衣所１４とを連通する浴室出入口２４の建具下枠部材２３ａの下側の挿通孔を介して、浴室３内の床下空間内に導入して、浴室３内の既設排水管１３に合流させる二股合流管を設けた。【選択図】図１
2005264518.tif 000002
【特許請求の範囲】
【請求項１】
浴槽が設けられた浴室に隣接する脱衣所内に、洗濯機が載置される洗濯機防水パンを設
けると共に、該洗濯機の排水配管を、前記浴室と脱衣所とを連通する浴室出入口の床部を
介して、該浴室内の床下空間内に導入して、前記浴室内の既設排水管に合流させる合流部
を設けたことを特徴とする浴室配管構造。
【請求項２】
前記洗濯機防水パンには、前記洗濯機からの排水を前記洗濯機の排水配管に接続する洗
濯機排水トラップを設けると共に、前記合流部を、前記浴室の排水配管に設けられる浴室
排水トラップの下流側に設けることを特徴とする請求項１記載の浴室配管構造。
【請求項３】
前記洗濯機の排水配管と、前記浴室内の既設排水管とを合流させる合流部を、予め板状
の支持パネル部材の中に装着する配管合流部ユニットを有することを特徴とする請求項１
又は２記載の浴室配管構造。
【請求項４】
既設の浴室の排水管に対して、洗濯機の排水配管を、合流させる合流部を該床部内に該
浴室の改修時にプレ配管すると共に、該浴室に隣接する脱衣所内に、洗濯機を載置する洗
濯機防水パンを設ける際、該排水配管と、該洗濯機防水パンに設けられる洗濯機排水トラ
ップとを該洗濯機防水パン内で接続して、該洗濯機防水パンを介して、前記洗濯機の排水
を排水するように連結することを特徴とする請求項１乃至３のうち、何れか一項記載の浴
室配管構造の施工方法。
【発明の詳細な説明】
【技術分野】
【０００１】
この発明は、浴室に隣接する脱衣所内に載置される洗濯機に用いられる浴室配管構造及
び該浴室配管構造の施工方法に関し、特に、既設の浴室配管を用いて、排水することが出
来る浴室配管構造及び該浴室配管構造の施工方法に関するものである。
【背景技術】
【０００２】
従来、図７に示すような浴室配管構造が、知られている（例えば、特許文献１等参照）
。
【０００３】
まず、構成から説明すると、この従来の浴室配管構造では、建物１の躯体を構成するコ
ンクリート床スラブ２の上に、浴室３の内寸法と略同じ寸法の略平坦な床パネル４が敷設
されている。
【０００４】
この床パネル４の一部の上面には、浴槽５が固定されると共に、残りの床パネル４の他
の部分を洗い場６としている。
【０００５】
この洗い場６を構成する床パネル４の一部には、排水パン７が設けられていて、接続さ
れる浴室排水配管８を介して、浴槽５若しくは洗い場６の排水が行われるように構成され
ている。
【０００６】
次に、この従来の浴室配管構造の作用について説明する。
【０００７】
このように構成された従来の浴室配管構造では、前記建物１のコンクリート床スラブ２
の上に、浴室排水配管８を敷設出来るので、浴室が設けられていない既存のビル又はマン
ション等の集合住宅であっても、容易に、浴室３を増設できる。
【特許文献１】特開平８−２８９８５２号公報（図２０、明細書段落００２５乃至００９８）
【発明の開示】
【発明が解決しようとする課題】
【０００８】
しかしながら、このような従来の浴室配管構造及び該浴室配管構造の施工方法では、前
記既存の浴室に隣接させて、脱衣所内等に洗濯機置き場を増設しようとすると、洗濯機の
蛇腹排水ホースを、浴室入口開口部から浴室内に這わせて、浴室の排水トラップを介して
排水するようにしている。
【０００９】
このため、この洗濯機の蛇腹排水ホースが、浴室内から外れて、前記脱衣所及び下階へ
漏水させてしまう漏水事故が発生する虞があった。
【００１０】
そこで、この発明は、既存の浴室に隣接させて洗濯機置き場を増設することが出来、防
水性の良好な浴室配管構造及び該浴室配管構造の施工方法を提供することを課題としてい
る。
【課題を解決するための手段】
【００１１】
上記目的を達成するために、本願発明の請求項１記載のものは、浴槽が設けられた浴室
に隣接する脱衣所内に、洗濯機が載置される洗濯機防水パンを設けると共に、該洗濯機の
排水配管を、前記浴室と脱衣所とを連通する浴室出入口の床部を介して、該浴室内の床下
空間内に導入して、前記浴室内の既設排水管に合流させる合流部を設けた浴室配管構造を
特徴としている。
【００１２】
また、請求項２に記載されたものは、前記洗濯機防水パンには、前記洗濯機からの排水
を前記洗濯機の排水配管に接続する洗濯機排水トラップを設けると共に、前記合流部を、
前記浴室の排水配管に設けられる浴室排水トラップの下流側に設ける請求項１記載の浴室
配管構造を特徴としている。
【００１３】
更に、請求項３に記載されたものは、前記洗濯機の排水配管と、前記浴室内の既設排水
管とを合流させる合流部を、予め板状の支持パネル部材の中に装着する配管合流部ユニッ
トを有する請求項１又は２記載の浴室配管構造を特徴としている。
【００１４】
そして、請求項４に記載されたものは、既設の浴室の排水管に対して、洗濯機の排水配
管を、合流させる合流部を該床部内に該浴室の改修時にプレ配管すると共に、該浴室に隣
接する脱衣所内に、洗濯機を載置する洗濯機防水パンを設ける際、該排水配管と、該洗濯
機防水パンに設けられる洗濯機排水トラップとを該洗濯機防水パン内で接続して、該洗濯
機防水パンを介して、前記洗濯機の排水を排水するように連結する請求項１乃至３のうち
、何れか一項記載の浴室配管構造の施工方法を特徴としている。
【発明の効果】
【００１５】
このように構成された請求項１記載のものは、既設の浴室の排水管に対して、洗濯機の
排水配管を、合流させる合流部が、該床部内に該浴室の改修時にプレ配管される。
【００１６】
また、該浴室に隣接する脱衣所内に、洗濯機を載置する洗濯機防水パンを設ける際、該
排水配管と、該洗濯機防水パンに設けられる洗濯機排水トラップとが、該洗濯機防水パン
内で接続される。
【００１７】
このため、該洗濯機防水パンを介して、前記洗濯機の排水を、前記既存の浴室の排水管
に、前記合流部を介して合流させて、排水させることができる。
【００１８】
従って、既存の浴室に隣接させて洗濯機置き場を増設することが出来ると共に、防水性
を良好なものとすることが出来る。
【００１９】
また、請求項２に記載されたものは、前記合流部が、前記浴室の排水配管に設けられる
浴室排水トラップの下流側に設けられているので、前記洗濯機防水パンに設けられた前記
洗濯機排水トラップを介して排水される前記洗濯機からの排水が、そのまま、前記浴室の
排水配管に排水される。
【００２０】
このため、排水トラップが、浴室内の前記合流部の上流側に設けられている場合でも、
排水トラップが２重となることが無く、自然勾配での排水配管の敷設が行える。
【００２１】
更に、請求項３に記載されたものは、前記配管合流部ユニットに設けられた板状の支持
パネル部材の中に、前記洗濯機の排水配管と、前記浴室内の既設排水管とを合流させる合
流部が、予め装着されて、プレ配管が行われている。
【００２２】
このため、施工現場での配管接続作業を減少させて、施工工程を簡略化出来ると共に、
施工確実性が良好で、更に、漏水事故が発生する虞を減少させることが出来る。
【００２３】
そして、請求項４に記載されたものは、既設の浴室の排水管に対して、洗濯機の排水配
管を、合流させる合流部を該床部内に該浴室の改修時にプレ配管することが出来るので、
先行配管に要する施工時間を短縮出来る。
【００２４】
また、洗濯機を載置する洗濯機防水パンに、洗濯機排水トラップが設けられている。
【００２５】
このため、該洗濯機防水パン内で、洗濯機の排水ホースを上方から接続して、該洗濯機
防水パンを介して、前記洗濯機の排水を排水するように連結することができるので、更に
、施工性が良好である。
【００２６】
しかも、該連結部分で漏水が発生しても、該洗濯機防水パンによって、漏水が堰き止め
られて、前記脱衣所及び下階等へ漏水させてしまう漏水事故を発生させる虞を、更に減少
させることができる。
【発明を実施するための最良の形態】
【００２７】
次に、図面に基づいて、この発明を実施するための最良の実施の形態の浴室配管構造及
び該浴室配管構造の施工方法を説明する。
【００２８】
なお、前記従来例と同一乃至均等な部分については同一符号を付して説明する。
【００２９】
図１乃至図６は、この発明の最良の実施の形態の浴室配管構造及び該浴室配管構造の施
工方法を説明するものである。
【００３０】
まず、この実施の形態の構成を説明すると、この発明の実施の形態では、建物１の躯体
を構成するコンクリート床スラブ２の上に、浴室３の内寸法と略同じ寸法の略平坦な床パ
ネル１０が、複数の支持脚部材１０ａ…によって下方から支持されて敷設されている。
【００３１】
この床パネル１０の一部の上面には、浴槽５が固定されると共に、残りの床パネル１０
の他の部分を洗い場６としている。
【００３２】
この洗い場６を構成する床パネル１０の一部には、浴室３内の浴室排水トラップ１１を
有する排水パン１２が設けられている。この排水パン１２は、前記浴槽５若しくは洗い場
６の排水を集水して、この浴室３の下方に設けられる既設の浴室排水管１３への排水が行
われるように連結されている。
【００３３】
また、この浴槽５が設けられた浴室３に隣接する脱衣所１４内には、予め洗面台１５及
び便器１６が設けられていると共に、増設によって、洗濯機１７が載置される洗濯機防水
パン１８を設けられるように構成されている。
【００３４】
この洗濯機１７が載置される洗濯機防水パン１８には、予め前記洗濯機１７からの排水
を前記洗濯機１７の排水配管１９に接続する洗濯機排水トラップ２０が、設けられている
。
【００３５】
この洗濯機排水トラップ２０には、前記洗濯機１７から延設される蛇腹状の排水ホース
２１が、上方から挿通されて、接続されている。
【実施例１】
【００３６】
図１乃至図３は、この最良の実施の形態の実施例１の浴室配管構造及び該浴室配管構造
の施工方法を示している。
【００３７】
この実施例１では、前記浴室３の床部を構成する床パネル１０のうち、洗い場６部分の
下方で、前記コンクリート床スラブ２の上方には、この洗濯機１７の排水配管１９を前記
浴室３内の既設の排水管１３に合流させる合流部としての二股合流管２５が設けられてい
る。
【００３８】
この二股合流管２５は、図２又は、図３に示すように、複数の支持脚部材２２…によっ
て、排水を自然流下可能とする所定の勾配が与えられて支持されている。
【００３９】
この二股合流管２５には、洗濯機側支管部２５ａ，浴室側支管部２５ｂ及びこれらの洗
濯機側支管部２５ａ，浴室側支管部２５ｂを合流させて、前記既設の浴室排水管１３への
排水を行う合流管部２５ｃとが一体に設けられて、主に構成されている。
【００４０】
このうち、前記洗濯機側支管部２５ａは、前記洗濯機１７の排水配管１９に接続されて
いて、前記浴室３と脱衣所１４とを連通する浴室出入口２４周縁に設けられた建具２３の
うち、床部を構成する建具下枠部材２３ａの下方に挿通されることにより、この床部の下
側連通孔を介して、前記浴室３内の床下空間内に、排水を導入するように構成されている
。
【００４１】
更に、この実施例１の二股合流管２５では、前記洗濯機側支管部２５ａに、前記床パネ
ル１０の支持脚部材１０ａを迂回する湾曲部２５ｅが形成されている。
【００４２】
また、この実施例１の前記浴室側支管部２５ｂは、前記浴室排水トラップ１１に端部が
接続されると共に、前記洗濯機側支管部２５ａに対して、所定の鋭角θ１を有して接続さ
れていて、合流部分で前記合流管部２５ｃへの流入が、円滑に行われるように構成されて
いる。
【００４３】
そして、前記合流管部２５ｃの下流側端部２５ｄは、受水部材２６内に上方から挿入さ
れることにより、前記浴室排水管１３に、接続されるように構成されている。
【００４４】
次に、この実施例１の作用効果について説明する。
【００４５】
この実施例１の浴室配管構造では、前記浴室３の改修時に、既設の浴室３の浴室排水管
１３に、前記二股合流管２５の下流側端部２５ｄを、受水部材２６内の上方から挿入する
ことにより、接続する。
【００４６】
そして、前記浴室側支管部２５ｂの端部が、前記浴室排水トラップ１１に接続されると
共に、前記洗濯機側支管部２５ａが、前記洗濯機１７の排水配管１９に接続可能なように
、前記浴室３と脱衣所１４とを連通する浴室出入口２４周縁に設けられた建具２３のうち
、床部を構成する建具下枠部材２３ａの下方に挿通されて、前記洗濯機１７の洗濯機防水
パン１８が設けられる位置まで導出されて、プレ配管される。
【００４７】
このように、前記二股合流管２５が、前記浴室３の改修時に、前記床パネル１０下方で
、前記コンクリート床スラブ２の上に、前記支持脚部材２２…によって下方から支持され
て自然流下可能な勾配で敷設される。
【００４８】
また、この浴室３に隣接する脱衣所１４内に、洗濯機１７を載置する洗濯機防水パン１
８を設ける際、この二股合流管２５に接続される排水配管１９と、この洗濯機防水パン１
８に設けられる洗濯機排水トラップ２０とが、この洗濯機防水パン１８内で接続される。
【００４９】
このため、この洗濯機防水パン１８の洗濯機排水トラップ２０を介して、前記洗濯機１
７の排水が、前記既存の浴室３の浴室排水管１３に、前記二股合流管２５を介して合流さ
れて、排水される。
【００５０】
前記排水配管１９に接続される二股合流管２５の洗濯機側支管２５ａは、前記浴室３と
脱衣所１４とを連通する浴室出入口２４周縁に設けられた建具２３のうち、床部を構成す
る建具下枠部材２３ａの下方に挿通されている。
【００５１】
このため、別途、浴室３と脱衣所１４との間の壁部２６に挿通孔を開口形成する必要が
無く、この床部の下側連通孔を介して、前記浴室３内の床下空間内に、排水を導入するこ
とが出来、良好な施工作業性で、既存の浴室３に隣接させて、前記脱衣所１４内に洗濯機
置き場を増設することが出来ると共に、防水性を良好なものとすることが出来る。
【００５２】
また、前記二股合流管２５が、前記浴室３の排水パン１２に設けられる浴室排水トラッ
プ１１の下流側に設けられているので、前記洗濯機防水パン１８に設けられた前記洗濯機
排水トラップ２０を介して排水される前記洗濯機１７からの排水が、そのまま、前記浴室
排水管１３に排水される。
【００５３】
このため、浴室排水トラップ１１が、浴室３内の前記二股合流管２５の上流側に設けら
れている場合でも、浴室排水トラップ１１及び洗濯機排水トラップ２０が２重となること
が無く、これらの浴室排水トラップ１１と、洗濯機排水トラップ２０との設置位置に高低
方向のレベルの差異を設ける必要が無くなり、自然勾配での排水配管の敷設が行える。
【００５４】
そして、既設の浴室３の排水管１３に対して、洗濯機１７の排水配管１９を、合流させ
る二股合流管２５が、この浴室３の床部内の改修時に、プレ配管されて、概略施工を完了
させることが出来るので、先行配管に要する施工時間を短縮出来る。
【００５５】
また、洗濯機１７を載置する洗濯機防水パン１８に、洗濯機排水トラップ２０が設けら
れている。
【００５６】
このため、洗濯機防水パン１８内で、洗濯機１７の排水ホース２１を上方から接続して
、この洗濯機防水パン１８の洗濯機排水トラップ２０を介して、前記洗濯機１７の排水を
排水するように連結することができるので、更に、施工性が良好である。
【００５７】
しかも、この排水ホース２１と洗濯機排水トラップ２０との連結部分で漏水が発生して
も、この洗濯機防水パン１８によって、漏水が堰き止められて、前記脱衣所１４及び下階
等へ漏水させてしまう漏水事故を発生させる虞を、更に減少させることができる。
【００５８】
更に、この実施例１の二股合流管２５では、前記洗濯機側支管部２５ａに、前記床パネ
ル１０の支持脚部材１０ａを迂回する湾曲部２５ｅが形成されていて、支持脚部材１０ａ
と干渉しないように構成されている。
【００５９】
このため、浴室３内での洗い場６の床部を構成する床パネル１０の支持剛性が、所定の
支持剛性に保持されて、増設以前の状態と同じ支持剛性の床部が得られる。
【実施例２】
【００６０】
図４は、この発明の実施例２の浴室配管構造及び該浴室配管構造の施工方法を示すもの
である。なお、前記実施例１と同一乃至均等な部分については同一符号を付して説明する
。
【００６１】
まず、構成から説明すると、この実施例２では、合流部としての前記二股合流管２５を
、プレ配管する配管合流部ユニット３０を有するものである。
【００６２】
この配管合流部ユニット３０には、板状の支持パネル部材３１が設けられている。
【００６３】
この支持パネル部材３１には、前記二股合流管２５の形状に沿って、収納凹部３２が、
凹設形成されている。
【００６４】
また、この支持パネル部材３１には、前記床パネル１０を支持する支持脚部材１０ａが
挿通される開口部３３が形成されている。
【００６５】
そして、この収納凹部３２の中に、前記洗濯機１７の排水配管１９と、前記浴室３内か
らの排水を、既設排水管１３へ合流させる前記二股合流管２５が、予め装着されて、プレ
配管が行われている。
【００６６】
このため、この配管合流部ユニット３０施工現場での配管接続作業時間を減少させて、
施工工程を簡略化出来ると共に、施工確実性が良好で、更に、漏水事故が発生する虞を減
少させることが出来る。
【００６７】
次に、この実施例２の作用効果について説明する。
【００６８】
この実施例２では、前記実施例１の作用効果に加えて、更に、配管合流部ユニット３０
には、板状の支持パネル部材３１が、前記浴室３内の床部に装着されることにより、二股
合流管２５のプレ配管が、概略完了する。
【００６９】
また、前記二股合流管２５は、この板状の支持パネル部材３１によって、所望の勾配で
、支持されて、浴室３内の床部に装着される。
【００７０】
このため、実施例１のように、前記複数の支持脚部材２２…によって下方から、この二
股合流管２５を支持する必要がなくなるので、更に、部品点数を減少させて、施工を簡略
化することができる。
【００７１】
他の構成及び作用効果については、前記実施例１と略同様であるので、説明を省略する
。
【実施例３】
【００７２】
図５及び図６は、この発明の実施例３の浴室配管構造及び該浴室配管構造の施工方法を
示すものである。なお、前記実施例１，２と同一乃至均等な部分については同一符号を付
して説明する。
【００７３】
まず、構成から説明すると、この実施例３では、前記浴室３の排水パン１２に設けられ
る浴室排水トラップ１１１から、前記実施例１の二股合流管２５の浴室側支管部２５ｂに
相当する浴室側支管部１２５ｂが、横出しされた構成を採用する浴室配管構造に用いられ
る合流部としての二股合流管１２５が用いられている。
【００７４】
この実施例３では、前記二股合流管１２５が、洗濯機側支管部１２５ａ，浴室側支管部
１２５ｂ及びこれらの洗濯機側支管部１２５ａ，浴室側支管部１２５ｂを合流させて、前
記既設の浴室排水管１３への排水を行う合流管部１２５ｃとが一体に設けられて、主に構
成されている。
【００７５】
このうち、前記洗濯機側支管部１２５ａは、前記洗濯機１７の排水配管１９に接続され
ていて、前記浴室３と脱衣所１４とを連通する浴室出入口２４周縁に設けられた建具２３
のうち、床部を構成する建具下枠部材２３ａの下方に挿通されることにより、この床部の
下側連通孔を介して、前記浴室３内の床下空間内に、排水を導入するように構成されてい
る。
【００７６】
更に、この実施例３の二股合流管１２５では、前記洗濯機側支管部１２５ａに、前記床
パネル１０の支持脚部材１０ａを迂回する湾曲部１２５ｅが形成されていて、支持脚部材
１０ａと干渉しないように構成されている。
【００７７】
また、この実施例２の前記浴室側支管部１２５ｂは、前記浴室排水トラップ１１に端部
が接続されると共に、前記洗濯機側支管部１２５ａに対して、所定の鋭角θ２を有して接
続されていて、合流部分で前記合流管部１２５ｃへの流入が、円滑に行われるように構成
されている。
【００７８】
そして、前記合流管部１２５ｃの下流側端部１２５ｄは、受水部材２６内に上方から挿
入されることにより、前記浴室排水管１３に、接続されるように構成されている。
【００７９】
他の構成及び作用効果については、前記実施例１，２と略同様であるので、説明を省略
する。
【００８０】
以上、図面を参照して、本発明の実施の形態及び実施例１乃至３を詳述してきたが、具
体的な構成は、この実施の形態に限らず、本発明の要旨を逸脱しない程度の設計的変更は
、本発明に含まれる。
【００８１】
即ち、実施例１，２では、二股合流管２５，１２５の前記洗濯機側支管部２５ａ，１２
５ａに、前記床パネル１０の支持脚部材１０ａを迂回する湾曲部２５ｅ，１２５ｅが、各
々形成されているが、支持脚部材１０ａと干渉しないようにレイアウトを構成することに
より、これらの湾曲部２５ｅ，１２５ｅを形成しなくても良く、前記二股合流管２５，１
２５の形状、支管の数量、及び材質が特に限定されるものではない。
【図面の簡単な説明】
【００８２】
【図１】この発明の実施の形態の実施例１の浴室配管構造及び該浴室配管構造の施工方法で、全体の構成を説明する建物の浴室及び脱衣所の水平断面図である。
【図２】実施例１の浴室配管構造及び該浴室配管構造の施工方法で、図１中Ａ−Ａ線に沿った位置での断面図である。
【図３】実施例１の浴室配管構造及び該浴室配管構造の施工方法に用いられる二股合流管の斜視図である。
【図４】実施例２の浴室配管構造及び該浴室配管構造の施工方法に用いられる二股合流管の配管合流ユニットの平面図である。
【図５】この発明の実施の形態の実施例３の浴室配管構造及び該浴室配管構造の施工方法で、全体の構成を説明する建物の浴室及び脱衣所の水平断面図である。
【図６】実施例３の浴室配管構造及び該浴室配管構造の施工方法で、図５中Ｂ−Ｂ線に沿った位置での断面図である。
【図７】従来例の浴室配管構造で、浴室の一部断面斜視図である。
【符号の説明】
【００８３】
１                建物
３                浴室
５                浴槽
６                洗い場
１０              床パネル
１１，１１１      浴室排水トラップ
１３            （既設の）浴室排水管
１４              脱衣所
１７              洗濯機
１８              洗濯機防水パン
１９            （洗濯機の）排水配管
２０              洗濯機排水トラップ
２３ａ            建具下枠部材（開口部床部）
２４              浴室出入口
２５，１２５      二股合流管（合流部）
２５ａ，１２５ａ  洗濯機側支管部
２５ｂ，１２５ｂ  浴室側支管部
２５ｃ，１２５ｃ  合流管部
３０              配管合流ユニット
３１              支持パネル  
【図１】
2005264518.tif 000003
【図２】
2005264518.tif 000004
【図３】
2005264518.tif 000005
【図４】
2005264518.tif 000006
【図５】
2005264518.tif 000007
【図６】
2005264518.tif 000008
【図７】
2005264518.tif 000009